(57)【要約】【課題】通販商品受領後に気持よく再使用できる配送ボックスの提供。【解決手段】配送ボックスの側壁部位１５は、底側板１２側に貼着支持される第１側板部１６と、底側板１２に連設されて第１側板部１６の下側に配置される第２側板部１８との二枚重ねとし、第１側板部１６は、天側板１３との境界位置にて前端３２ａから後端３２ｂに至る主ミシン目３２を介して天側板１３と連結され、かつ、主ミシン目３２の近傍にこれと平行で始端３３ａ側からその長さ方向での中間位置を後端とする補助ミシン目３３が形成され、開蓋時には、主ミシン目３２と補助ミシン目３３との間に位置する第１側板部１６側を抓み片１７として補助ミシン目３３の同時切断の支援のもとで主ミシン目３２を切断することで、天側板１３側からの第１側板部１６側の切除と第２側板部１８側の露出とを可能とした。【選択図】図１
0003215172.tif 000002
【実用新案登録請求の範囲】
【請求項１】
少なくとも底側板と上フラップとしての天側板と左右の側壁部位と背側板と前側板とを備えて宅配用通販商品の収納・取り出しが自在に形成された平面視方形を呈する配送ボックスにおいて、
前記側壁部位のそれぞれは、前記前側板側への差し込みが自在な差込み片を備える前記天側板に連設されて前記底側板側にその一部が貼着される第１側板部と、前記底側板に連設されて前記第１側板部の背面側に配置される第２側板部との二枚重ねとして構成され、
伝票貼付面としての前記第１側板部のそれぞれは、前記天側板との境界位置にてその前端側から後端側へと至る全長に亘り形成された主ミシン目を介して前記天側板側と連結され、かつ、前記主ミシン目の近傍位置に該主ミシン目と平行な位置関係のもとで同じく前端側からその長さ方向での中間位置を後端とする補助ミシン目が形成され、その開蓋時には、それぞれの前記前端側にて前記主ミシン目と前記補助ミシン目との間に位置する第１側板部側を抓み片として前記補助ミシン目の同時切断の支援のもとで前記主ミシン目を全長に亘り切断することで、前記天側板側からの前記第１側板部側の切除と前記第２側板部側の露出とを可能としたことを特徴とする宅配用通販商品のための配送ボックス。
【請求項２】
前記底側板側への前記第１側板部の一部の貼着は、該第１側板部から延設されてその組み立て時に前記底側板の裏面側と部分的に重なり合う回り込み片を介しての貼着である請求項１に記載の宅配用通販商品のための配送ボックス。
【請求項３】
前記前側板は、その折返し幅が前記背側板の縦幅と同幅である外側片と内側片とからなり、かつ、前記底側板砥の境界部位に設けられたスリットへの差し込みが自在な突片を前記内側片の長さ方向での開放縁に具備させた請求項１または２に記載の宅配用通販商品のための配送ボックス。
【請求項４】
前記第２側板部のそれぞれは、施蓋時の前記天側板を下支えする内フラップと、前記前側板方向へと延設されて前記内側片と前記外側片との間に差し込まれる補強片とを備える請求項請求項３に記載の宅配用通販商品のための配送ボックス。
【請求項５】
前記背側板側と前記第２側板部側とのそれぞれは、組み立て時における自動折曲が可能な介在片を介して連結させた請求項１ないし４のいずれかに記載の宅配用通販商品のための配送ボックス。
【考案の詳細な説明】
【技術分野】
【０００１】
本考案は、通販業者が宅配業者等の運送業者を介して通販商品を配送する際にこれが収納され、顧客が上蓋を開けて通販商品を取り出す際に伝票が貼付されている上側面側を簡単な操作で除去して下側側面を残置させることで比較的きれいな状態のもとで保管箱などのような汎用性に富む用途のもとでの再使用に供することができる宅配用通販商品のための配送ボックスに関する技術である。
【背景技術】
【０００２】
通常、通販業界では、顧客からの発注があった通販業者が受注した通販商品を適宜構造の宅配用通販商品収納ボックスに収納した上で、宅配業者等の運送業者に配送委託して発注先である個々の顧客宅に届けるようにした通販商品の配送システムが採用されている。
【０００３】
図７は、特許文献１の図１４に示されている通信販売などで商品である衣服等を配送する際に用いられている従来からある段ボール箱を符号を替え、かつ、一部を補充して再掲したものであり、段ボール箱１の全体は、一対の側壁面２，２の上下縁に連設された外フラップ３，３と、一対の端面壁４，４の上下縁に連設された内フラップ５，５とをそれぞれ重ね合わせて閉止するとともに、粘着テープ６を貼着して封かんするとともに、図示しない配送用伝票を例えば外フラップ３に強力な接着力で貼着した荷姿で運送業者により配送されている。なお、配送後は、段ボール箱１を開封して通販商品を取り出した後、配送用伝票が貼着された状態のまま折り畳むなどして廃棄処分されていた。つまり、段ボール箱１には、強力な接着力で配送用伝票が貼着されていることから、これを剥がそうとしてもどうしてもその一部が残ってしまい、見た目にも使い古し感があって格好よいとはいえず、家庭内で再使用されることなく廃棄処分されてしてしまうという問題があった。
【０００４】
一方、特許文献１に開示されている新規な「段ボール箱」は、図７に示す従来からある段ボール箱１の上記問題点に鑑みてなされたものであり、輸送用としての役目を終えた段ボール箱を組箱や工作キットとして再使用できるように工夫されている。
【先行技術文献】
【特許文献】
【０００５】
【特許文献１】特開２００６−２１９１４７号公報
【０００６】
すなわち、特許文献１の「段ボール箱」は、組箱や工作キットとして再使用できるように予め折り目や切り込みを設けておき、あくまでも輸送用としての役目を終えた後に、予め設けてある折り目や切り込みを利用してカッターなどを使用することなく簡単に組箱や工作を楽しむことができるようにしたものである。
【考案の概要】
【考案が解決しようとする課題】
【０００７】
しかし、特許文献１の「段ボール箱」は、輸送用としての役目を終えた後の再使用を特定の用途、具体的にはＣＤやリモコンを入れることができる組箱や、犬型や象型の工作キットとして再使用することを意図するあまり、段ボールを構成する部片構造がそれだけ複雑化することとなり、全体コストの上昇を招くほか、再使用時の用途を狭くして汎用性に欠けるに至る不都合があった。
【０００８】
本考案は、従来技術にみられた上記課題に鑑み、発注者に配送された後に伝票が貼付されている側の面を簡単な操作で除去してその下にある面を残置させることで比較的きれいな状態のもとで汎用性に富む用途での再使用を可能とする宅配用通販商品のための配送ボックスを提供することを目的とする。
【課題を解決するための手段】
【０００９】
本考案は、上記目的を達成すべくなされたものであり、少なくとも底側板と上フラップとしての天側板と左右の側壁部位と背側板と前側板とを備えて宅配用通販商品の収納・取り出しが自在に形成された平面視方形を呈する配送ボックスにおいて、前記側壁部位のそれぞれは、前記前側板側への差し込みが自在な差込み片を備える前記天側板に連設されて前記底側板側にその一部が貼着される第１側板部と、前記底側板に連設されて前記第１側板部の背面側に配置される第２側板部との二枚重ねとして構成され、配送用伝票の貼付面としての前記第１側板部のそれぞれは、前記天側板との境界位置にてその前端側から後端側へと至る全長に亘り形成された主ミシン目を介して前記天側板側と連結され、かつ、前記主ミシン目の近傍位置に該主ミシン目と平行な位置関係のもとで同じく前端側からその長さ方向での中間位置を後端とする補助ミシン目が形成され、その開蓋時には、それぞれの前記前端側にて前記主ミシン目と前記補助ミシン目との間に位置する第１側板部側を抓み片として前記補助ミシン目の同時切断の支援のもとで前記主ミシン目を全長に亘り切断することで、前記天側板側からの前記第１側板部側の切除と前記第２側板部側の露出とを可能としたことを最も主要な特徴とする。
【００１０】
この場合、前記底側板側への前記第１側板部の一部の貼着は、該第１側板部から延設されてその組み立て時に前記底側板の裏面側と部分的に重なり合う回り込み片を介しての貼着とするのが好ましい。
【００１１】
また、前記前側板は、その折返し幅が前記背側板の縦幅と同幅である外側片と内側片とからなり、かつ、前記底側板砥の境界部位に設けられたスリットへの差し込みが自在な突片を前記内側片の長さ方向での開放縁に具備させるのが望ましい。
【００１２】
さらに、前記第２側板部のそれぞれは、施蓋時の前記天側板を下支えする内フラップと、前記前側板方向へと延設されて前記内側片と前記外側片との間に差し込まれる補強片とを具備させるのが好ましい。
【００１３】
さらにまた、前記背側板側と前記第２側板部側とのそれぞれは、組み立て時における自動折曲が可能な介在片を介して連結させるのが望ましい。
【考案の効果】
【００１４】
本考案のうち、請求項１の考案によれば、側壁部位のそれぞれは、第１側板部と第２側板部との二枚重ねとなっており、しかも、配送用伝票が貼付される第１側板部のそれぞれは、天側板との境界位置に主ミシン目を介して該天側板側と連結され、かつ、該主ミシン目と平行な補助ミシン目が形成されているので、前端側にて主ミシン目と補助ミシン目との間に位置する第１側板部側を抓み片とすることで補助ミシン目の同時切断の支援のもとで主ミシン目を全長に亘り簡単な操作で切断すれば、天側板側から第１側板部側を切除しつつ第２側板部側を露出させたた状態で天側板を開蓋することができる。
【００１５】
しかも、切除後の第１側板部は、その貼着部位を底側板側から引き離すことで容易に除去することができるので、通販品を取り出した後の配送ボックスは、側壁部位を伝票が貼付されていない第２側板部のみとすることで、比較的きれいな状態のもとで汎用性に富む用途での再使用を可能とすることができる。
【００１６】
請求項２の考案によれば、底側板側への第１側板部の一部の貼着は、該第１側板部から延設されてその組み立て時に底側板の裏面側と部分的に重なり合う回り込み片を介することで行われているので、配送時における側壁部位側の荷姿をぶらつかせることなく安定したものとすることができる。
【００１７】
請求項３の考案によれば、前側板は、折り返された外側片と内側片とで形成されているほか、内側片の開放縁に設けられている突片を介して底側板との境界部位に設けられているスリットに差し込むことができるので、他の部位より強靱性を高めつつ底側板側との一体性を高めて配置することができる。
【００１８】
請求項４の考案によれば、第２側板部は、それぞれが内フラップを備えているので、これら内フラップを介することで施蓋時の天側板を安定的に下支えさせることができる。
【００１９】
請求項５の考案によれば、背側板と第２側板部との間には、組み立て時における自動折曲が可能な介在片が配置されているので、背側板と第２側板部との間にコンパクトに介在させつつ相互を安定的に連結させることができる。
【図面の簡単な説明】
【００２０】
【図１】本考案の一例についての展開図。
【図２】図１に示す一例についての組み立て後の全体斜視図。
【図３】図２に示す状態において主ミシン目と副ミシン目との破断途中の状態を示す全体斜視図。
【図４】図２に示す状態において主ミシン目を完全破断して天側板を開蓋した状態を示す全体斜視図。
【図５】図２に示す状態において天側板を開蓋して通販品を取り出した際の左右の側壁部位の状態を示す全体斜視図であり、第１側板部が下方に倒れ、第２側板部が露出した状態を示す。
【図６】図５に示す状態のもとで第１側板部側を引き離した後の態を示す全体斜視図。
【図７】特許文献１において図１４として示されている従来からある段ボール箱の再掲図。
【考案を実施するための形態】
【００２１】
図１は、本考案の一例についての組み立て前の展開図であり、図２に示す配送ボックス１１として組み立てるべく所定形状に一体形成される段ボール板材は、同じ方形面サイズの底側板１２と上フラップとしての天側板１３と、これら底側板１２と天側板１３との間に介在配置されている適宜縦幅の背側板２２とを備えている。
【００２２】
また、天側板１３は、その左側縁１３ａ側と右側縁１３ｂ側とに同じ矩形形状を呈して各別に延設された第１側板部１６を備え、上側縁１３ｃ側に背側板２２より狭幅な略矩形形状を呈して延設された差込み片１４を備えて形成されている。また、上側縁１３ｃの中央位置には、差込み片１４側に向けて例えば半円形とするなどして穿設されて開蓋時に指を差し込むための通孔１４ａを備えている。
【００２３】
しかも、配送用伝票４１の貼付面として利用される各第１側板部１６は、天側板１３との境界位置（左側縁１３ａおよび右側縁１３ｂ）にてその前端３２ａ側から後端３２ｂ側へと至る全長に亘り形成された「ジッパー」とも仮称される主ミシン目３２を介して天側板１３側と連結されているほか、主ミシン目３２の近傍位置に該主ミシン目３２と平行な位置関係のもとで同じく始端３３ａ側からその長さ方向での中間位置を終端３３ｂとする同じく「ジッパー」とも仮称される補助ミシン目３３も形成されている。また、該補助ミシン目３３の前端３３ａ側に切除部３４を設けることで、主ミシン目３２の前端３２ａ側との間に抓み片１７が確保できるようになっている。
【００２４】
さらに、第１側板部１６のそれぞれは、その長辺側の開放縁から延設されて組み立てた際に断面略Ｌ字形を呈して底側板１２の裏面側と部分的に重なり合う回り込み片１６ａを備えている。
【００２５】
一方、底側板１２は、その長辺側の開放縁１２ａ側に前側板２３が延設されている。該前側板２３は、折返し部位２３ａを介して折り返された際にそれぞれが背側板２２の縦幅と略同幅の縦幅となる外側片２４と内側片２５とで構成されており、該内側片２５の開放縁に設けられた例えば左右一対の突片２５ａ，２５ａを介して該突片２５ａ位置と対応させた位置関係のもので底側板１２と外側片２４との境界部位に設けられたスリット３５，３５に差し込むことで位置固定が可能となっている。なお、外側片２４と内側片２５との境界位置における中央部位には、その折り返し時に例えば円形を呈するようにその厚み分を含めることで略長円形を呈するように穿設するなどして形成されて施蓋時に差込み片１４側の通孔１４ａと連通する通孔２６が設けられている。
【００２６】
また、底側板１２は、その左側縁１２ｂと右側縁１２ｃとに第１側板部１６と同じ矩形形状を呈する第２側板部１８を備えている結果、組み立てた際に該第２側板部１８を下側に、第１側板部１６を上側に位置させた二枚重ねとすることで側壁部位１５が形成されることになる。
【００２７】
さらに、第２側板部１８のそれぞれは、その長辺側の開放縁１８ａから延設されて天側板１３を施蓋させた際にこれを下支えする内フラップ１９を備えているほか、その短辺側から前側板２３方向へと延設されて内側片２５と外側片２４との間に差し込まれる補強片２０も備えている。
【００２８】
また、第２側板部１８と背側板２２とは、組み立て時に折曲線３６ａを介して自動折曲が可能な略扇形状を呈する介在片３６を介して連結さされている。
【００２９】
次に、図１に示す展開状態にある段ボール板材を用いて図２に示す配送ボックス１１となるように組み立てる手順例について説明すれば、まず、図１における底側板１２と天側板１３とのそれぞれを水平状態とした上で、底側板１２との境界に位置する外側片２４と内側片２５とからなる前側板２３、左右の各第２側板部１８、天側板１３との境界に位置する左右の各第１側板部１６、差込み片１４のそれぞれを、直立方向へと谷折りして折り上げる。
【００３０】
この場合、各第２側板部１８は、それぞれの内フラップ１９を水平方向に谷折りして折り返とともに、補強片２０を第２側板部１８の面方向に対し直角方向へと谷折りする。しかも、各第２側板部１８と背側板２２との間を繋ぐ介在片３５は、折曲線３５ａを介して谷折りしておく。
【００３１】
また、前側板２３は、折返し部位２３ａを介して内側片２５を外側片２４側へと谷折りして折り返される。
【００３２】
このようにして各部位を所定位置へと折曲した後は、天側板１３と背側板２２との境界位置と底側板１２と背側板２２との境界位置とを、介在片３５の折曲線３５ａを介した自動折曲の支援のもとでそれぞれ背側板２２が直立するように谷折りして折り返すことで、背側板２２の縦幅が高さとなって天側板１３と底側板１２とが対面する位置関係とすることができる。
【００３３】
このとき、各第１側板部１６は、各第２側板部１８の上側に位置するように配置することで両者で側壁部位１５を形成することができ、補強片２０は、内側片２５と外側片２４との間に位置するように配置する。
【００３４】
最後に、内側片２５が備える突片２５ａを底側板１２と外側片２４との境界部位に設けられたスリット３５に差し込むことで位置固定された前側板２３が形成されるとともに、天側板１３が備える差込み片１４を前側板２３の内側に差し込むとともに、各第１側板部１６が備える回り込み片１６ａを底側板１２の裏側へと回り込ませた上で、図６に示されているような適宜の粘着テープ４３等を用いて回込み片１６ａと底側板１２側とを一体化させることで、図２に示すような配送ボックス１１として組み立てることができる。
【００３５】
本考案は、このようにして構成されているので、通販業者が宅配業者等の運送業者を介して通販商品を配送しようとする際には、左右の内フラップ１９，１９に下支えされて図２に示すように施蓋されている天側板１３を通孔２６ａ，１４ａに指２を差し込んで引き上げることで、図２に示すように天側板１３を開蓋して例えば図５に示すような通販商品４２を配送ボックス１１内に収納した後、配送用伝票４１を第１側板部１６側に強力な接着力で貼着した上で必要な封かん処理を施した荷姿のもとで運送業者により配送することができる。
【００３６】
配送ボックス１１が図２に示す荷姿のもとで顧客側に配送された後は、該顧客側でこれを開蓋して中の通販商品４２を取り出すことになる。これを図２〜図６に従いより詳しく説明すれば、図２に示す荷姿で届いた配送ボックス１１は、まず、左右の第１側板部１６が備える主ミシン目３２の前端３２ａ側と補助ミシン目３３の前端３３ａ側との間に形成されている抓み片１７を抓んで図３に示す矢印方向へと引っ張っていく。
【００３７】
このとき、主ミシン目３２と補助ミシン目３３とは、それぞれの前端３２ａ，前端３３ａ側から同時に切断が開始される。この場合、補助ミシン目３３は、第１側板部１６側の天側板１３側に対する確実な取付け状態を保持したり、前端３３ａ側に非人為的な切断力が作用しても簡単には奥端方向に至るまで切断されてしまうことのないように始端３３ａ位置から長さ方向での中間位置にその後端３３ｂが位置する長さで形成されている関係上、図３に示すように後端３３ｂまでは補助ミシン目３３の同時切断による支援を受けつつも、主ミシン目３２が図４に示すようにその後端３２ｂに至るまで切断される際に補助ミシン目３３もその後端３３ｂを経た後も比較的容易に追随させながら補助ミシン目３３の長さ方向に沿わせて切断できる結果、天側板１３側から第１側板部１６側を簡単に切り離すことができる。
【００３８】
その結果、天側板１３は、側壁部位１５との関係でフリーとなって通孔２６，１４ａに指を差し込んで上方へと持ち上げることで図４に示すよう円滑に開蓋することができることになる。
【００３９】
天側板１３を完全に開蓋した後は、収納物である通販商品４２を取り出すことができるとともに、天側板１３側から引き離されて非連結となった第１側板部１６がその支持を失って図５に示すように外側に倒れ込むに至る。
【００４０】
かくして、第１側板部１６は、底側板１２の側に回り込み片１６ａを介して粘着テープ４３等だけで取り付けられた状態となる結果、図６に示すようにその取り付け状態を解消させることで、配送ボックス１１側から第１側板部１６を取り除くことにより壁部位１５を第２側板部１８をとして新たに露出させることがができる。
【００４１】
このため、本考案によれば、側壁部位１５のそれぞれは、第１側板部１６と第２側板部１８との二枚重ねとなっており、しかも、配送用伝票４１が貼付される第１側板部１６のそれぞれは、天側板１３との境界位置に主ミシン目３２を介して該天側板１３側と連結され、かつ、該主ミシン目３２と平行な補助ミシン目３３も形成されているので、前端３２ａ，３３ａ側にて主ミシン目３２と補助ミシン目３３との間に位置する第１側板部１６側を抓み片１７とすることで補助ミシン目３３の同時切断の支援のもとで主ミシン目３２を全長に亘り簡単な操作で切断すれば、天側板１３側から第１側板部１６側を切除しつつ第２側板部１８側を露出させたた状態で天側板１３を開蓋することができる。
【００４２】
しかも、切除後の第１側板部１３は、その貼着部位を図６に示すように底側板１２側から引き離すことで容易に除去することができるので、通販商品４２を取り出した後の配送ボックス１１は、側壁部位１５を配送用伝票４１が貼付されていない第２側板部１８のみとすることで、比較的きれいな状態のもとで汎用性に富む用途での再使用を可能とすることができることになる。
【００４３】
また、底側板１２側への第１側板部１６の一部の貼着が該第１側板部１６から延設されてその組み立て時に底側板１２の裏面側と部分的に重なり合う回り込み片１６ａを介することで行われている場合には、配送時における側壁部位１５側の荷姿をぶらつかせることなく安定したものとすることができる。
【００４４】
さらに、前側板２３が外側片２４と内側片２５とで形成されているほか、内側片２５の開放縁に突片２５が設けられている場合には、該突片２５を介して底側板１２との境界部位に設けられているスリット３５に差し込むことができるので、他の部位より強靱性を高めつつ底側板１２側との一体性を高めて配置することができる。
【００４５】
さらにまた、第２側板部１８のそれぞれが内フラップ１９を備えている場合には、これら内フラップ１９を介することで施蓋時における天側板１３を安定的に下支えさせることができる。
【００４６】
また、背側板と第２側板部との間に組み立て時における自動折曲が可能な介在片３６が配置されている場合には、背側板２２と第２側板部１８との間にコンパクトに介在させつつ相互を安定的に連結させることができる。
【符号の説明】
【００４７】
１１  配送ボックス
１２  底側板
１２ａ  開放縁
１２ｂ  左側縁
１２ｃ  右側縁
１３  天側板
１３ａ  左側縁
１２ｂ  右側縁
１２ｃ  上側縁
１４  差込み片
１４ａ  通孔
１５  側壁部位
１６  第１側板部
１６ａ  回り込み片
１７  抓み片
１８  第２側板部
１８ａ  開放縁
１９  内フラップ
２０  補強片
２２  背側板
２３  前側板
２３ａ  折返し部位
２４  外側片
２５  内側片
２５ａ  突片
２６  通孔
３２  主ミシン目
３２ａ  前端
３２ｂ  後端
３３  補助ミシン目
３３ａ  前端
３３ｂ  後端
３４  切除部
３５  スリット
３６  介在片
３６ａ  折曲線
４１  配送用伝票
４２  通販商品
４３  粘着テープ
【図１】
0003215172.tif 000003
【図２】
0003215172.tif 000004
【図３】
0003215172.tif 000005
【図４】
0003215172.tif 000006
【図５】
0003215172.tif 000007
【図６】
0003215172.tif 000008
【図７】
0003215172.tif 000009